(57)【要約】【課題】本発明は、作業現場で煩雑な作業が必要無く、また後日撮影した画像がどの工程のものか不明になることが無い画像撮影システム及び画像撮影装置を提供することを課題とする。【解決手段】操作者は、画像撮影装置１によって作業工程を選択すると対応する作業工程情報が電子黒板２に送信される。電子黒板２は、この作業工程情報に基づいて表示を行ない、操作者は電子黒板２を写しこんで撮影を行なう。これにより、撮影画像には選択された作業工程に基づいた表示を行なっている電子黒板２が写しこまれる。また画像撮影装置１は、撮影画像に作業工程情報が写し込まれているかどうかを判別し、写し込まれていなければ撮影者に通知して、再撮影や作業工程情報の合成を行なうよう促す。【選択図】    図１
2005020457.tif 000002
【特許請求の範囲】
【請求項１】
電子黒板と画像撮影装置からなる画像撮影システムであって、
前記電子黒板は、
前記画像撮影装置から表示情報を受信する受信手段と、
前記受信手段が受信した前記表示情報に基づいて表示を行なう表示手段と、
を備え、
前記画像撮影装置は、
複数の作業工程それぞれに対応する表示情報を記憶する記憶手段と、
撮影者によって選択された作業工程に対応する前記表示情報を前記電子黒板に送信する送信手段と、
前記電子黒板に前記表示情報を送信後に、画像を撮影する撮影手段と、
前記撮影手段が撮影した撮影画像を記憶する画像記憶手段と、
を備えることを特徴とする画像撮影システム。
【請求項２】
前記画像撮影装置は、画像記憶手段に記憶された撮影画像に前記表示情報に基づく情報が写し込まれているかどうかを判別し、前記撮影画像に前記表示情報に基づく情報が写し込まれていないときに通知を行なう通知手段を更に備えることを特徴とする請求項１に記載の画像撮影システム。
【請求項３】
作業状況を記録する画像撮影装置であって、
撮影した撮影画像に、特定の情報が写し込まれているかどうかを判別する判別手段と、
前記判別手段による判別の結果、前記撮影画像に前記特定の情報が写し込まれていないときに通知を行なう通知手段と、
を備えることを特徴とする画像撮影装置。
【請求項４】
複数の作業工程それぞれに対応する表示情報を記憶する記憶手段と、
前記複数の作業工程のうちの１つを撮影者に選択させる選択手段と、
前記撮影者によって選択された作業工程に対応する前記表示情報を送信する送信手段と、
を更に備え、
前記判別手段は、撮影した撮影画像に、前記送信手段が送信した前記表示情報に基づいた情報が写し込まれているかどうかを判別することを特徴とする請求項３に記載の画像撮影装置。
【請求項５】
前記判別手段が、前記特定の情報が写し込まれていないと判別した時、該特定の情報を前記撮影画像に合成する合成手段を更に備えることを特徴とする請求項３又は４に記載の画像撮影装置。
【請求項６】
前記判別手段が、前記特定の情報が写し込まれていないと判別した時、新たに撮影された画像に該特定の情報を合成する自動写し込み手段を更に備えることを特徴とする請求項３乃至５の何れか１つに記載の画像撮影装置。
【請求項７】
複数の作業工程における個別の作業状況を記録する画像撮影装置であって、
複数の作業工程それぞれに対応する作業工程情報を記憶する記憶手段と、
前記複数の作業工程のうちの１つを撮影者に選択させる選択手段と、
前記撮影者によって選択された作業工程に対応する前記作業工程情報が写しこまれた画像を撮影する撮影手段と、
前記撮影手段が撮影した撮影画像を記憶する画像記憶手段と、
を備えることを特徴とする画像撮影装置。
【請求項８】
画像撮影装置内で実行されるプログラムであって、
撮影者によって選択された作業工程に対応する前記表示情報を、受信した表示情報に基づいて表示を行なう電子黒板に送信する機能と、
前記電子黒板に前記表示情報を送信後に、画像を撮影する機能と、
前記撮影した撮影画像を記憶する機能と、
を実現させるプログラム。
【請求項９】
画像撮影装置内で実行されるプログラムであって、
撮影した撮影画像に、特定の情報が写し込まれているかどうかを判別する機能と、
前記判別の結果、前記撮影画像に前記特定の情報が写し込まれていないとき、通知を行なう機能と、
を実現させるプログラム。
【請求項１０】
画像撮影装置内で実行されるプログラムであって、
複数の作業工程それぞれに対応する作業工程情報を記憶する機能と、
前記複数の作業工程のうちの１つを撮影者に選択させる機能と、
前記撮影者によって選択された作業工程に対応する前記作業工程情報が写しこまれた画像を撮影する機能と、
前記撮影した撮影画像を記憶する機能と、
を実現させるプログラム。
【発明の詳細な説明】
【０００１】
【発明の属する技術分野】
本発明は、工事現場や製造工場における作業状況を記録する画像撮影装置に関する。
【０００２】
【従来の技術】
土木工事や建築工事においては、設計図書の通りに工事が施工されたことを証拠として残すため、施工中や施工後に現場の写真を撮影して作業状況の記録としている。また、製造工場においては、出来上がった製品をカメラで撮影して製品検査用の写真として残したり、製造ラインや製造中の半製品をカメラで撮影して製造工程の進み具合の確認用写真として残している。
【０００３】
工事現場で証拠写真を撮影する場合には、施工場所、日付け、その他必要事項を記入した黒板を、現場に置いたり作業員等に持たせて現場と共にカメラ等の画像撮影装置で撮影する。また、製造工場で製品検査用の写真や製造工程の進み具合の確認用写真を撮影する場合も同様に、出来上がった製品や半製品、製造ライン等を製造工程や製品の仕様等を記入した黒板と共に撮影する。
【０００４】
図１１は、従来の方法によって撮影された撮影画像を示す図である。
同図は工事現場で撮影した撮影画像を例としている。
このような撮影画像１００の撮影では、その撮影画像１００が何の画像であるのかを後で確認できるようにするため、作業工程（工事名、工種、位置等）の情報を記入した黒板１０１を写真に写し込んでいる。その為、作業現場で黒板に手書きで必要な事項を書き込まなければならず、煩雑な作業が必要となる。
【０００５】
それに対処するものとして、特許文献１には予め作業工程情報をカメラに記憶しておき、現場での画像撮影時にその作業工程情報と関連付けて記憶するようにしたシステムが開示されている。
特許文献１のシステムでは、撮影前にデジタルカメラに撮影情報を転送し、その情報を表示して撮影を行ない、撮影画像をその撮影情報と関連付けてカメラ内に記憶している。
【０００６】
【特許文献１】
特開２００１−４９８２号公報
【０００７】
【発明が解決しようとする課題】
しかし特許文献１の関連付けて記憶する方法では、撮影画像と撮影情報との関連付けを関連付けポインタ等の情報として管理しているだけである為、後に各撮影画像をコピーしたり、転送したりする段階で何らかの理由でその関連付け関係が崩れてしまった場合、どの画像がどの作業工程のものか、その画像からは全く不明になってしまう恐れがある。
【０００８】
本発明は、上記問題点を鑑み、作業現場で黒板に書き込む等の煩雑な作業が不要となる、工事現場や製造工場における作業状況を記録する画像撮影システム及び画像撮影装置を提供することを課題とする。
また、後日撮影した画像がどの工程のものか不明になることが無い画像撮影システム及び画像撮影装置を提供することを課題とする。
【０００９】
【課題を解決するための手段】
本発明による画像撮影システムは電子黒板と画像撮影装置からなることを前提とする。
上記課題を解決する為、前記電子黒板は、受信手段及び表示手段を備える。
【００１０】
受信手段は、前記画像撮影装置から表示情報を受信する。
表示手段は、前記受信手段が受信した前記表示情報に基づいて表示を行なう。
また前記画像撮影装置は、記憶手段、送信手段、撮影手段及び画像記憶手を備える。
【００１１】
記憶手段は、複数の作業工程それぞれに対応する表示情報を記憶する。
送信手段は、撮影者によって選択された作業工程に対応する前記表示情報を前記電子黒板に送信する。
撮影手段は、前記電子黒板に前記表示情報を送信後に、画像を撮影する。
【００１２】
前記撮影手段が撮影した撮影画像を記憶する。
この構成により、電子黒板の表示手段は、画像撮影装置の送信手段が送信した表示情報に基づいた表示を行なう。撮影手段がこれを写しこんで撮影することにより、撮影者が選択した作業工程に基づいた情報が写しこまれた画像が撮影される。
【００１３】
また前記画像撮影装置は、画像記憶手段に記憶された撮影画像に前記表示情報に基づく情報が写し込まれているかどうかを判別し、前記撮影画像に前記表示情報に基づく情報が写し込まれていないときに通知を行なう通知手段を更に備える構成とすることも出来る。
【００１４】
この構成の場合、撮影画像に前記表示情報に基づく情報が写し込まれていないときには、撮影者に通知される。
更に本発明による第１の形態の画像撮影装置は、作業状況を記録するものであり、判別手段及び通知手段を備える。
【００１５】
判別手段は、撮影した撮影画像に、特定の情報が写し込まれているかどうかを判別する。
通知手段は、前記判別手段による判別の結果、前記撮影画像に前記特定の情報が写し込まれていないときに通知を行なう。
【００１６】
この構成により、撮影者には撮影画像に特定の情報が写し込まれていないときには通知が成される。
また前記判別手段が、前記特定の情報が写し込まれていないと判別した時、該特定の情報を前記撮影画像に合成する合成手段や、新たに撮影された画像に該特定の情報を合成する自動写し込み手段を更に備える構成とすることが出来る。
【００１７】
この構成の場合には、撮影画像に特定情報が含まれていない場合には、該特定情報が写しこまれた撮影画像が生成される。
また本発明は、画像撮影装置によって実行されるプログラムもその範囲に含む。
【００１８】
【発明の実施の形態】
図１は、本実施形態における画像撮影システムの構成を示す図である。
同図において、本システムは画像撮影装置１及び電子黒板２を備えている。
本システムでは、従来使われていた黒板の代わりに電子黒板２を用いて、撮影を行なう。
【００１９】
電子黒板２は、受信した表示用データに基づいて画面表示を行なう表示装置で、画像撮影装置１から無線通信によって画面表示について指示された表示用データを受け取り、その受信データに基づいて表示画面上に文字や画像の表示を行なう。撮影者は画像撮影装置１を操作して撮影を行なう作業工程を選択して対応する作業工程情報を電子黒板２に送信した後に撮影を行ない、表示画面上に必要な情報を表示させた電子黒板２を写し込む。
【００２０】
画像撮影装置１は、レンズ等の光学系を用いて、被写体の映像を静止画像として撮影する撮影装置である。また画像撮影装置１は予め各作業工程に対応する複数の表示用データ（作業工程情報）を記憶、保持しており、撮影者は、画像撮影装置１の表示部に表示されたメニューから電子黒板２に表示させる作業工程を選択すると対応する作業工程情報が電子黒板２に送信され、撮影を行なう作業工程に対応する情報が電子黒板２の表示画面上に表示される。この状態で撮影者は電子黒板２を写し込んで撮影を行なう。これにより、撮影時に作業現場で黒板に手書きで必要な事項を書き込む必要が無く、煩雑な作業から解放される。また撮影画像には、必要な作業工程の情報が写し込まれているので、後に撮影画像がどの作業工程に対するもの分からなくなることは無い。
【００２１】
また画像撮影装置１は、撮影した画像に対して文字認識処理を行ない、撮影した画像に作業工程情報が写し込まれているかどうかを判定する機能を備えている。そして、何らかの理由で作業工程情報が写し込まれていなかった場合には、再撮影や撮影画像に必要な情報を合成する処理を行なう。これにより、撮影画像には、常に作業工程についての情報が記録されることになる。
【００２２】
図２は、本実施形態の画像撮影システムを用いて撮影した撮影画像を示す図である。
同図は、図１１の従来の場合と対比する形で示されており、同図の撮影画像３では、画像撮影装置２から送信された作業工程情報に基づいた表示を行なって電子黒板３１が写し込まれている。また後述するカウンタ値３２が撮影画像３に合成されている。
【００２３】
電子黒板２は、通常の黒板のように表面上に文字や画像を描くのではなく、受信した表示データに基づいて表示画面上に表示を行なうので、明瞭な表示を行なうことが出来、電子黒板２を写し込んだ画像３１は、従来の撮影画像１００に写し込まれた黒板３１よりその内容が明瞭に写される。またその表示内容も多彩な色を用いることが出来たり事前に用意した画像を用いることが出来る等、従来より多彩な内容にすることが出来、従来のものよりより多くの情報を持った画像を撮影出来る。よって後に撮影画像を見た場合、従来の撮影画像１００より、画像から多くの情報を得ることができる。
【００２４】
図３（ａ）は本実施形態における画像撮影装置１の、同図（ｂ）は電子黒板２の内部構成を示す図である。
同図（ａ）において、画像撮影装置１は、ＣＰＵ１１、カメラ撮影部１２、操作部１３、メモリ部１４、画像文字認識部１５、表示部１６、画像メモリ部１７、記録媒体１８及び送信部１９を有し、これらがバス１０を介して接続されて相互にデータの授受が行なえる構成となっている。
【００２５】
ＣＰＵ１１は中央演算処理部であり、メモリ部１４に予め格納されている制御プログラムを実行することでこの画像撮影装置全体の動作を制御する。
カメラ撮影部１２は、画像の撮影処理を司る部分で、ＣＰＵ１１からレリーズボタンの押下を通知されると、撮像レンズを介してＣＣＤ（Ｃｈａｒｇｅ  Ｃｏｕｐｌｅｄ  Ｄｅｖｉｃｅ  ）等の撮像素子上に結像された被写体像を、光電変換して電気信号変えた後Ａ／Ｄ変換を行ない、デジタル画像データにする。
【００２６】
操作部１３は、撮影者の操作指示を受け付ける操作ボタン等で、電源キー、レリーズボタン、種々の設定を行なう為の設定ボタン等から構成されている。撮影者がこの操作部１３を操作すると操作内容がＣＰＵ１１に通知され、ＣＰＵ１１はその操作内容に基づいて他の要素の制御処理を行なう。
【００２７】
メモリ部１４は、ＣＰＵ１１によって実行されるプログラム等を記憶するＲＯＭやＣＰＵ１１がワークメモリとして用いるＲＡＭ等から構成されている。またこのメモリ部１４上の領域に後述するカウンタメモリが設けられる。
画像文字認識部１５は、カメラ撮影部１２によって撮影された撮影画像に写っている文字を文字データに変換して抽出するものである。尚この画像文字認識部１５は、専用の回路によって実現しても、ＣＰＵ１１によるソフトウエア処理によって実現しても良い。
【００２８】
表示部１６は、液晶モニタやそのドライバ等から構成されており、画像撮影時に撮影画像を表示したり、後述する電子掲示板へ表示させるデータの選択等の設定の際、種々の情報を撮影者に表示するものである。
画像メモリ部１７は、フラッシュメモリ等で構成される書き換え可能な不揮発性のメモリで、撮影した画像の画像データを記憶する画像メモリを有するものである。また後述する工事名テーブルや作業工程テーブル及び作業工程情報は、この画像メモリ部１７に記憶される。
【００２９】
記録媒体１８は、メモリカード等の画像撮影装置から着脱可能な可搬記録媒体で、この画像撮影装置に装着されるとバス１０に接続される。画像メモリ部１７に記録された画像データは、この記録媒体１８に作業工程のためのデータと対応付けて転送される。そしてこの記録媒体１８内の画像データは、後日情報処理装置によって読み出され、作業工程の記録として保存される。
【００３０】
送信部１９は、ＣＰＵ１１の指示に基づいて、無線若しくは有線通信によって電子黒板に表示させる表示データを送信するものである。
本実施形態の画像撮影装置１は、撮影者による操作部１３の操作指示に基づいて、ＣＰＵ１１がメモリ部１４のＲＡＭをワークメモリとして用いながらメモリ部１４内のプログラムを実行することによって、画像撮影装置の他の構成要素を制御して後述する各種処理を実現する。
【００３１】
また同図（ｂ）の電子黒板２は、ＣＰＵ２１、受信部２２、メモリ部２３、黒板表示部２４及び表示面２５を有しこれらがバス２０によって接続されている。
ＣＰＵ２１は中央演算処理部であり、メモリ部２３に予め格納されている制御プログラムを実行することでこの電子黒板２全体の動作を制御して、画像撮影装置１から受信したデータに基づいた表示を、表示面２４上に行なわせる。
【００３２】
受信部２２は、画像撮影装置１と無線接続、若しくは有線接続し、画像撮影装置１から表示データを受信する。そしてこの受信データに基づいてＣＰＵ２１は、表示データを生成する。
メモリ部２３は、ＣＰＵ２１によって実行される制御プログラム等を記憶するＲＯＭやＣＰＵ２１がワークメモリとして用いるＲＡＭ等から構成されている。
【００３３】
黒板表示部２４は、表示面２４対するドライバ等で、ＣＰＵ１１からの表示データに基づいて、表示面２５に表示を行なわせる。表示面２５は、液晶等による表画面で、受信した表示データに基づいて文字や画像を表示する。
このような構成のシステムにおける動作の詳細を以下に説明する。
【００３４】
図４乃至６は、本実施形態における画像撮影装置１の動作処理を示すフローチャートである。同図の処理は、ＣＰＵ１１がメモリ部１４内の制御プログラムを実行することによって実現される。
撮影開始に当たって、工事現場等の作業現場において、まず撮影場所に電子黒板２を設置後、撮影者が操作部１３を操作すると、ステップＳ１として、ＣＰＵ１１は、画像メモリ部１７から工事名テーブルを読み出し、表示部１６に工事名の一覧を表示し、表示画面上から撮影者に工事名を選択させる（ステップＳ２）。
【００３５】
図７は、画像メモリ部１７に記憶されている工事名テーブルの構成例を示す図である。工事名テーブルは、画像撮影装置１が記憶している作業工程情報に対応する作業工程が行なわれる工事を記憶管理するテーブルである。この工事名テーブルは、情報処理装置等によって生成された後、事前に画像撮影装置１に転送され、不揮発の画像メモリ部１７に記憶される。
【００３６】
同図では、工事名テーブルには、画像撮影装置１に作業工程情報が記録されている工事が、工事名と施工開始の年月日によって記録されている。この工事名テーブルからＣＰＵ１１は、工事名の一覧を表示部１６に表示する。
図８（ａ）は、ステップＳ１で表示部１６に表示される表示画面例である。
【００３７】
同図では、工事名テーブルから読み出した工事名とその施工日が表示されており、これらの情報から撮影者は、「戻る」、「ＴＯＰ」、「進む」の操作ボタン３２ａを操作してカーソル３１ａを移動して目的の工事名を選択した後、選択ボタン３３ａを押下する。
【００３８】
尚図８（ａ）及び後述する図８（ｂ）の画面は、下部がタッチパネルとなっており、撮影者が、指で操作ボタン３２ａ，３２ａや選択ボタン３３ａ，３３ｂを押下することによって工事名を選択する構成となっているが、表示部１６は表示のみを行ない、選択のための操作入力は操作部１３の操作スイッチによって行なう構成としても良い。
【００３９】
工事名を選択すると、ステップＳ３としてＣＰＵ１１は選択された工事名に対応する作業工程テーブルを画像メモリ部１７から読み出し、ステップＳ４として読み出した作業工程テーブルから作業工程名を表示部１６に一覧表示する。
図９は、画像メモリ部１７に記憶されている作業工程テーブルの構成例を示す図である。作業工程テーブルは、工事名テーブルに記録されている各工事毎に構成され、同図は、工事名「○○邸」の工事の作業テーブルである。この作業工程テーブルも情報処理装置によって生成された後、事前に画像撮影装置１に転送され、不揮発の画像メモリ部１７に記憶される。
【００４０】
作業工程テーブルは、各工事において行なわれる工程の工程名、各工程において、撮影が行なわれたかどうか、また撮影された枚数を管理するもので、同図では、作業工程名、その作業工程での撮影が行なわれたかどうかを示す撮影済みフラグ及び撮影枚数を示すカウンタ値を記録している。
【００４１】
ステップＳ３で読み出した作業工程テーブルから、ＣＰＵ１１は、ステップＳ４としてこの作業工程テーブルから工程名の一覧を表示部１６に表示し、この表示仮面上から撮影者に工程を選択させる（ステップＳ５）。
図７（ｂ）は、ステップＳ４で表示部１６に表示される表示画面例である。
【００４２】
同図では、作業工程テーブルから読み出した工程名、その工程における撮影が済みか未撮影か、撮影済みの場合のその撮影枚数と撮影された画像のサムネイル３４が表示されている。
撮影者は、表示画面上において「戻る」、「ＴＯＰ」、「進む」の操作ボタン３２ｂを操作して選択する作業工程にカーソル３１ｂを移動し、選択ボタン３３ｂによって作業工程を選択する。
【００４３】
撮影者が作業工程を選択すると、ステップＳ６として選択された作業工程が撮影済みフラグがセットされているかどうかが判断される。その結果、フラグがセットされていれば（ステップＳ６、ＹＥＳ）、作業工程テーブル内のカウンタ値をインクリメントした値をメモリ部１４内のカウンタメモリにセットし、フラグがセットされていなければ（ステップＳ６、ＮＯ）、カウンタメモリに“１”をセットする。
【００４４】
そしてステップＳ９として、選択された作業工程に対応する作業工程情報を画像メモリ部１７から読み出し、ステップＳ１０として送信部１９によってこの作業工程情報を電子黒板２に送信する。作業工程情報は、電子黒板２に対して画面表示を行なわせる為の表示データで、文字データ、図形データ、イメージ画像データ及び制御データ、若しくはこれらを組み合わせたものである。
【００４５】
次に図４のステップＳ１１として、カウンタメモリにセットされているカウンタ値を画像データに変換後、撮影画像に合成されるように画像メモリ部１７内の画像メモリの一部にセットする。
そして、表示部１６にシャッタＯＫ表示を行ない（ステップＳ１６）、撮影者がシャッタボタンを操作するのを待つ（ステップＳ１７、ＮＯ）。そしてシャッタボタンが押下されると（ステップＳ１７、ＹＥＳ）、ステップＳ１３としてカメラ撮影部１２によってＣＣＤ撮影を行ない、撮影画像をデジタルデータに変換後、ステップＳ１５として画像メモリへ写し込みを行なう。これによって、撮影画像にステップＳ１１で画像メモリにセットしたカウンタ値が写し込まれた画像の画像データが画像メモリ内に生成される。
【００４６】
次にステップＳ１６としてこの撮影画像に対して画像文字認識部１５によって画像認識処理を行ない、ステップＳ１７として画像から抽出した文字列とステップＳ１０で電子黒板２に送信した作業工程情報によって指定した表示内容を比較し、両者が一致するか、即ち撮影画像内に指定した作業工程情報が写し込まれているかどうかを判断する。その結果、撮影画像内に作業工程情報が写し込まれていなければ（ステップＳ１７、ＮＯ）、その撮影画像はそのまま用いることは出来ないので、図５のステップＳ２６に処理を移す。
【００４７】
ステップＳ１７で、撮影画像内に工程情報が写し込まれていれば（ステップＳ１７、ＹＥＳ）、その撮影画像はそのまま用いることが出来るので、ステップＳ１８として、画像メモリ内の画像データのファイルを、例えば工事名や工程名を用いたファイル名を用いる等作業工程情報と対応付けて、記録媒体１８にファイル転送し、ステップＳ１９として作業工程テーブルの対応する工程の撮影済みフラグをセットし、画像メモリをクリアする（ステップＳ２０）。
【００４８】
そして、次にステップＳ２１として、表示部１６にメニューを表示する。このメニューでは、同じ工程を撮影する「１．連続撮影」、別の工程を選択して撮影する「２．他工程撮影」及び撮影を終了する「３．終了」の３つの選択肢が表示され、撮影者の選択待ちとなる（ステップＳ２２、ＮＯ）。
【００４９】
撮影者がメニュー選択を行ない、撮影者が選んだのが「１．連続撮影」であったなら（ステップＳ２２、「１．連続撮影」）、ステップＳ２３として、カウンタメモリ内のカウンタ値をインクリメントして更新した後、処理をステップＳ１１に移して新たな撮影に入り、そのカウンタ値を画像データに変換した後画像メモリの一部にセットする。また撮影者がメニュー選択で「２．他工程撮影」を選択した場合には（ステップＳ２２、「２．他工程撮影」）、ステップＳ２４としてカウンタメモリ内のカウンタ値を対応する作業工程テーブルのカウンタ値としてセットした後、処理をステップＳ３に移して次に撮影する作業工程の選択処理を行なう。そして撮影者がメニュー選択で「３．終了」を選択した場合には（ステップＳ２２、「３．終了」）、ステップＳ２５としてカウンタメモリ内のカウンタ値を対応する作業工程テーブルのカウンタ値としてセットした後、処理を終了する。
【００５０】
ステップＳ１７において、撮影画像内に工程情報が写し込まれていない場合（ステップＳ１７、ＮＯ）、その撮影画像はそのまま用いることは出来ないので、図５のステップＳ２６として、音声や画面表示によって撮影画像に作業工程情報が無いことを通知した後、メニューを表示する（ステップＳ２７）。このメニューでは、撮影をやり直す「１．再撮影」、画像メモリ内に直接作業工程情報を書き込む形で再撮影を行なう「２．自動写しこみ撮影」、撮影した画像に直接作業工程情報を加える「３．工程情報写しこみ」及び作業工程情報が無い画像をそのまま保存する「４．無視」の４つの選択肢が表示され、撮影者の選択待ちとなる（ステップＳ２８、ＮＯ）。
【００５１】
撮影者がメニュー選択を行ない、撮影者が選んだのが「１．再撮影」であったなら（ステップＳ２８、「１．再撮影」）、ステップＳ２９として画像メモリをクリアした後、ステップＳ１１に処理を移して新たな撮影に入り、そのカウンタ値を画像データに変換後に画像メモリの一部にセットする。これにより、前に撮影した画像は破棄され、再度画像撮影が行なわれる。
【００５２】
また撮影者が選んだのが「２．自動写しこみ撮影」であったなら（ステップＳ２８、「２．自動写しこみ撮影」）、ステップＳ３０として画像メモリをクリアし、ステップＳ３１として作業工程情報を画像データに変換後画像メモリ内にセットする。そして処理をステップＳ１１に移して新たな撮影に入り、そのカウンタ値を画像データに変換後に画像メモリの一部にセットする。これにより、新たに撮影される画像には、作業工程情報が合成されるので、この撮影画像には確実に作業工程情報が含まれることとなる。
【００５３】
また撮影者が選んだのが「３．工程情報写しこみ」であったなら（ステップＳ２８、「３．工程情報写しこみ」）、ステップＳ３２として作業工程情報を画像データに変換し、画像メモリ内にある画像データと合成した後に、また「４．無視」が選択された場合は（ステップＳ２８、「４．無視」）そのまま、処理をステップＳ１８に移して、画像メモリ内の画像データのファイルを記録媒体１８にファイル転送する。これにより、再撮影を行なわずに、撮影した画像が記録として保存される。
【００５４】
図９は、本実施形態における電子黒板の動作処理を示すフローチャートである。同図の処理はＣＰＵ２１が、メモリ部２３内の制御プログラムを実行することによって実現される。
電子黒板２は、受信待ち状態において（ステップＳ４１、ＮＯ）、画像撮影装置１から作業工程情報の送信があると（ステップＳ４１、ＹＥＳ）、ステップＳ４２として受信部２２によって作業工程情報を受信する。
【００５５】
そしてＣＰＵ１１は、受信した作業工程情報から表示データを生成し、ステップＳ４３としてこれを黒板表示部２４に送って表示面２５に表示後、処理をステップＳ４１の受信待ち状態に戻す。
以降、画像撮影装置１から作業工程情報の送信がある度に、その作業工程情報に基づいて表示データを生成し、表示面２５に表示を行なう。
【００５６】
この様に本実施形態における画像撮影システムによれば、電子黒板２に対して写し込みたい情報の表示を行なって、電子黒板２に表示させた後に撮影を行なうので、これまでのように現場で写し込みたい情報を書き込む必要が無い。
また撮影した撮影画像に情報が入っているかどうかを判断し、入っていない場合には、再撮影を行なうように指示を行なうことが出来る。また、画像に直接情報を合成したり、自動的に写しこんで再撮影を行わせることができるので、撮影画像に情報が必ず入るようにすることが出来る。よって後日、画像がどの工程のものかわからなくなることは無い。
【００５７】
尚上記例では、電子黒板２と画像撮影装置１の間の通信は無線通信を行なう構成としたが、有線通信を行なう構成としても良い。
【００５８】
【発明の効果】
本発明によれば、電子黒板に対して写し込みたい情報を送信して、電子黒板に表示させた後に撮影を行なうので、現場で写し込みたい情報を書き込む必要が無い。
【００５９】
また、明確で且つ情報量の多い表示内容を画像に写しこむことが出来る。
更に、撮影画像に写し込みたい情報が写し込まれているかどうかを判定できるので、確実に情報を画像内に残すことが出来る。
また、後日、画像がどの工程のものかわからなくなることは無い。
【図面の簡単な説明】
【図１】本実施形態における画像撮影システムの構成を示す図である。
【図２】本実施形態の画像撮影システムを用いて撮影した撮影画像を示す図である。
【図３】（ａ）は画像撮影装置の、（ｂ）は電子黒板の内部構成を示す図である。
【図４】本実施形態における画像撮影装置の動作処理を示すフローチャート（その１）である。
【図５】本実施形態における画像撮影装置の動作処理を示すフローチャート（その２）である。
【図６】本実施形態における画像撮影装置の動作処理を示すフローチャート（その３）である。
【図７】工事名テーブルの構成例を示す図である。
【図８】表示画面例を示す図である。
【図９】作業工程テーブルの構成例を示す図である。
【図１０】本実施形態における電子黒板の動作処理を示すフローチャートである。
【図１１】従来の方法によって撮影された撮影画像を示す図である。
【符号の説明】
１  画像撮影装置
２  電子黒板
１１、２１  ＣＰＵ
１２  カメラ撮影部
１３  操作部
１４、２３  メモリ部
１５  画像文字認識部
１６  表示部
１７  画像メモリ部
１８  記録媒体
１９  送信部
２２  受信部
２４  黒板表示部
２５  表示面
【図１】
2005020457.tif 000003
【図２】
2005020457.tif 000004
【図３】
2005020457.tif 000005
【図４】
2005020457.tif 000006
【図５】
2005020457.tif 000007
【図６】
2005020457.tif 000008
【図７】
2005020457.tif 000009
【図８】
2005020457.tif 000010
【図９】
2005020457.tif 000011
【図１０】
2005020457.tif 000012
【図１１】
2005020457.tif 000013